(57)【要約】【課題】  オンオフスイッチ機構を内蔵していない新規格の可変抵抗器３０（代替品）を用いながら、従来と同じ取付け枠７０等の関連部品を利用することができる配線器具を提供する。【解決手段】  配線器具の外形を構成するケース体１０と蓋体１１とは、従来の可変抵抗器１３０（在来品）を組み込んだ従来の配線器具と同じものを用いる。新旧の可変抵抗器３０の高さ寸法（底面から回転軸３２先端までの高さ寸法）の相違は、可変抵抗器３０における回転軸３２の先端部に装着される軸調整ユニット６０によって調整する。すなわち、軸調整ユニット６０は、基端部を回転軸３２の先端部に連結した状態で、先端部が蓋体１１の軸受孔１１ａを通して外部に突き出し、当該先端部に回転操作用の摘まみ８０を装着できる長さに調整されている。さらに、軸調整ユニット６０は、摘まみ８０による回転操作に対し摺動抵抗を付与する手段と、あらかじめ設定した回転角度でマイクロスイッチ５０をオンオフする手段とを含んでいる。【選択図】      図１
2015035340.tif 000002
【特許請求の範囲】
【請求項１】
電源と負荷との間に設けられ、前記負荷に対する制御機能を有する配線器具であって、
開口部を有するケース体と、その開口部を閉塞するとともに軸受孔が形成された蓋体と、
前記ケース体の内底部に収容される回路基板と、
可変抵抗部を内蔵する抵抗器本体と、この抵抗器本体から突出する抵抗値設定用の回転軸とを含み、前記抵抗器本体が前記回路基板に搭載された状態で前記ケース体の内部に収容される可変抵抗器と、
前記回路基板に搭載された状態で前記ケース体の内部に収容され、前記可変抵抗器により設定された抵抗値に応じて前記負荷を制御する制御回路と、
前記ケース体の内部に収容され、前記電源と負荷との間を電気的に接離するマイクロスイッチと、
前記可変抵抗器における前記回転軸の先端部に装着される軸調整ユニットと、を備え、
前記軸調整ユニットは、基端部を前記回転軸の先端部に連結した状態で、先端部が前記蓋体の軸受孔を通して外部に突き出し、当該先端部に回転操作用の摘まみを装着できる長さに調整されており、且つ前記摘まみによる回転操作に対し摺動抵抗を付与する手段と、あらかじめ設定した回転角度で前記マイクロスイッチをオンオフする手段とを含むことを特徴とする配線器具。
【請求項２】
前記軸調整ユニットは、
基端部を前記回転軸の先端部に連結した状態で、先端部が前記蓋体の軸受孔を通して外部に突き出し、当該先端部に回転操作用の摘まみを装着できる長さに調整された延長軸部と、この延長軸部に形成された軸フランジ部とを含むシャフト部材と、
前記蓋体の軸受孔内に挿入される筒状の軸受部と、この軸受部の基端縁に形成された軸受フランジ部とを含む軸受部材と、
弾力性を有するシリコン材料によって収縮可能な厚みを有するリング状に形成されたリング状緩衝体と、を含み、
前記リング状緩衝体および軸受部材は、前記シャフト部材の延長軸部に先端部から嵌め込まれ、前記シャフト部材の軸フランジ部と前記軸受部材の軸受フランジ部との間に前記リング状緩衝体を配置し、さらに前記軸受部材の軸受部を前記蓋体の軸受孔内に挿入配置して、この軸受部の中空部に前記シャフト部材の延長軸部が貫通する構成とし、
且つ、前記リング状緩衝体が、前記シャフト部材の軸フランジ部と前記蓋体の内壁との間で圧縮されて、前記摘まみによる回転操作に対し摺動抵抗を付与する手段を構成し、
さらに、前記シャフト部材の軸フランジ部に、あらかじめ設定した回転角度で前記マイクロスイッチの操作子に接離するカム部を形成し、このカム部により前記マイクロスイッチをオンオフする手段を構成したことを特徴とする請求項１の配線器具。
【請求項３】
リング状の平ワッシャを備え、この平ワッシャを前記軸受部材の軸受フランジ部と前記蓋体の内壁との間に配置することを特徴とした請求項２の配線器具。
【請求項４】
リング状の平ワッシャを備え、この平ワッシャを前記リング状緩衝体と前記軸受部材の軸受フランジ部との間に配置することを特徴とした請求項２の配線器具。
【請求項５】
前記負荷が照明器具であり、
前記制御回路は、前記可変抵抗器に設定された抵抗値に基づき、前記負荷を調光する調光回路であることを特徴とする請求項１乃至４のいずれか一項に記載の配線器具。
【請求項６】
前記制御回路は、前記可変抵抗器に設定された抵抗値に基づく時間経過後に、前記負荷と電源との間を遮断するタイマ回路であることを特徴とする請求項１乃至５のいずれか一項に記載の配線器具。
【請求項７】
電源と負荷との間に設けられ、前記負荷に対する制御機能を有し、
開口部を有するケース体と、その開口部を閉塞するとともに軸受孔が形成された蓋体と、
前記ケース体の内底部に収容される回路基板と、
可変抵抗部を内蔵する抵抗器本体と、この抵抗器本体から突出する抵抗値設定用の回転軸とを含み、前記抵抗器本体が前記回路基板に搭載された状態で前記ケース体の内部に収容される可変抵抗器と、
前記回路基板に搭載された状態で前記ケース体の内部に収容され、前記可変抵抗器により設定された抵抗値に応じて前記負荷を制御する制御回路と、
前記ケース体の内部に収容され、前記電源と負荷との間を電気的に接離するマイクロスイッチと、を備えた配線器具に組み込まれる軸調整ユニットであって、
基端部を前記可変抵抗器における前記回転軸の先端部に連結した状態で、先端部が前記蓋体の軸受孔を通して外部に突き出し、当該先端部に回転操作用の摘まみを装着できる長さに調整されており、且つ前記摘まみによる回転操作に対し摺動抵抗を付与する手段と、あらかじめ設定した回転角度で前記マイクロスイッチをオンオフする手段とを含むことを特徴とする軸調整ユニット。
【請求項８】
基端部を前記回転軸の先端部に連結した状態で、先端部が前記蓋体の軸受孔を通して外部に突き出し、当該先端部に回転操作用の摘まみを装着できる長さに調整された延長軸部と、この延長軸部に形成された軸フランジ部とを含むシャフト部材と、
前記蓋体の軸受孔内に挿入される筒状の軸受部と、この軸受部の基端縁に形成された軸受フランジ部とを含む軸受部材と、
弾力性を有するシリコン材料によって収縮可能な厚みを有するリング状に形成されたリング状緩衝体と、を含み、
前記リング状緩衝体および軸受部材は、前記シャフト部材の延長軸部に先端部から嵌め込まれ、前記シャフト部材の軸フランジ部と前記軸受部材の軸受フランジ部との間に前記リング状緩衝体を配置し、さらに前記軸受部材の軸受部を前記蓋体の軸受孔内に挿入配置して、この軸受部の中空部に前記シャフト部材の延長軸部が貫通する構成とし、
且つ、前記リング状緩衝体が、前記シャフト部材の軸フランジ部と前記蓋体の内壁との間で圧縮されて、前記摘まみによる回転操作に対し摺動抵抗を付与する手段を構成し、
さらに、前記シャフト部材の軸フランジ部に、あらかじめ設定した回転角度で前記マイクロスイッチの操作子に接離するカム部を形成し、このカム部により前記マイクロスイッチをオンオフする手段を構成したことを特徴とする請求項７の軸調整ユニット。
【請求項９】
リング状の平ワッシャを備え、この平ワッシャを前記軸受部材の軸受フランジ部と前記蓋体の内壁との間に配置することを特徴とした請求項８の軸調整ユニット。
【請求項１０】
リング状の平ワッシャを備え、この平ワッシャを前記リング状緩衝体と前記軸受部材の軸受フランジ部との間に配置することを特徴とした請求項８の軸調整ユニット。
【発明の詳細な説明】
【技術分野】
【０００１】
この発明は、電源と負荷との間に設けられ、内部に設けた可変抵抗器による抵抗値の調整をもって負荷を制御する機能をもつ配線器具と、同器具に組み込まれ可変抵抗器の回転軸を回転操作するための軸調整ユニットに関する。
【背景技術】
【０００２】
この種の配線器具としては、例えば、タイマ機能や調光機能を備えたスイッチが知られている。従来のこの種の配線器具には、オンオフスイッチ機構を内蔵する可変抵抗器が組み込まれており、可変抵抗器の回転軸を回転操作して負荷と電源との間の導通状態をオンオフするとともに、当該可変抵抗器による抵抗器の調整をもって、一定時間経過後に負荷と電源との間の導通状態をオフしたり、照明（負荷）の明るさを変えたりすることができる構成となっていた。
この種の配線器具に組み込まれる可変抵抗器として、従来は日本工業規格ＪＩＳ Ｃ ５２６０−１の附属書１に示されたＲＶ１６_Ｐ１５Ｆ０Ｂ５０３Ｍという規格のもの（在来品）が一般に使われていた。この従来の可変抵抗器は、タイマースイッチや調光器などの配線器具のほか、ブラウン管式テレビ受像機や音響機器の音量調整機能付き電源スイッチなどにも多く使われていた。かかる従来の可変抵抗器は、オンオフスイッチ機構を内蔵するために抵抗器本体の寸法が大きく、また抵抗値調整用の回転軸に対する回転トルクが大きくて重厚感のある操作感が得られるという特徴があった。
ところが近年において、テレビ受像機や音響機器は、電源のオンオフ操作や音量調節を電子式の制御回路で実行する構成のものが普及しており、それに伴い上述したオンオフスイッチ機構を内蔵する従来の可変抵抗器は需要が激減し、生産が停止されるに至った。そして、現在ではオンオフスイッチ機構を内蔵していない新規格の可変抵抗器（例えば、日本工業規格ＪＩＳ Ｃ ５２６０−１の附属書１に示されたＲＶ０９_Ｐ１５Ｆ０Ｂ５０３Ｍ）が代替品として提供されている。
【０００３】
さて、テレビ受像機や音響機器に対する需要が激減した従来の可変抵抗器（在来品）ではあるが、配線器具においてはいまだに需要がある。しかし、生産停止となり在庫品も残り少なくなった現状では、オンオフスイッチ機構を内蔵していない新規格の可変抵抗器（代替品）を配線器具にも適用せざるを得ない。
そこで、本出願人は、オンオフスイッチ機構を内蔵していない新規格の可変抵抗器（代替品）を組み込んだ配線器具をすでに提案している（特許文献１参照）。先に提案された当該配線器具は、新規格の可変抵抗器（代替品）に合わせて、ケースの寸法形状やその内部へ組み込まれる各部品の配置等が新規に開発されている。
【０００４】
しかし、配線器具には、ケース内に収容される部品の他にも、家屋壁面への取付け枠などの関連部品があり、それら関連部品については従来品との互換性を保持できれば、部品の生産計画や在庫管理が容易となり好ましい。これら関連部品の互換性を保持するには、配線器具の外形を構成するケース体と蓋体を従来と同じ寸法形状にする必要がある。
ところが、新規格の可変抵抗器（代替品）を用いる場合、従来の可変抵抗器（在来品）との間の寸法の違いが問題になる。すなわち、オンオフスイッチ機構を内蔵する従来の可変抵抗器（在来品）の方が抵抗器本体の寸法が大きく、よって抵抗器本体の底面から回転軸の先端までの高さ寸法が著しく異なっている。
また、オンオフスイッチ機構を内蔵していない新規格の可変抵抗器（代替品）は、従来の可変抵抗器（在来品）に比べて抵抗値調整用の回転軸に対する回転トルクが小さいため、操作した際の重厚感に欠け、違和感があった。
【先行技術文献】
【特許文献】
【０００５】
【特許文献１】特許第３７０５８２４号公報
【発明の概要】
【発明が解決しようとする課題】
【０００６】
本発明は上述した事情に鑑みてなされたもので、オンオフスイッチ機構を内蔵していない新規格の可変抵抗器（代替品）を用いながら、従来と同じ取付け枠等の関連部品を利用することができる配線器具の提供を目的とする。
また、オンオフスイッチ機構を内蔵していない新規格の可変抵抗器（代替品）を用いて、従来のオンオフスイッチ機構を内蔵する可変抵抗器（在来品）と同等の重厚感のある操作感が得られる配線器具の提供を目的とする。
【課題を解決するための手段】
【０００７】
上述した目的を達成するために、本発明は、電源と負荷との間に設けられ、負荷に対する制御機能を有する配線器具であって、
開口部を有するケース体と、その開口部を閉塞するとともに軸受孔が形成された蓋体と、
ケース体の内底部に収容される回路基板と、
可変抵抗部を内蔵する抵抗器本体と、この抵抗器本体から突出する抵抗値設定用の回転軸とを含み、抵抗器本体が回路基板に搭載された状態でケース体の内部に収容される可変抵抗器と、
回路基板に搭載された状態でケース体の内部に収容され、可変抵抗器により設定された抵抗値に応じて負荷を制御する制御回路と、
ケース体の内部に収容され、電源と負荷との間を電気的に接離するマイクロスイッチと、
可変抵抗器における回転軸の先端部に装着される軸調整ユニットと、を備え、
軸調整ユニットは、基端部を回転軸の先端部に連結した状態で、先端部が蓋体の軸受孔を通して外部に突き出し、当該先端部に回転操作用の摘まみを装着できる長さに調整されており、且つ摘まみによる回転操作に対し摺動抵抗を付与する手段と、あらかじめ設定した回転角度でマイクロスイッチをオンオフする手段とを含むことを特徴とする。
【０００８】
上述した構成の本発明において用いられる可変抵抗器は、オンオフスイッチ機構を内蔵していない新規格の可変抵抗器（代替品）である。この種の可変抵抗器は、例えば、日本工業規格ＪＩＳ Ｃ ５２６０−１の附属書１にＲＶ０９_Ｐ１５Ｆ０Ｂ５０３Ｍとして規格化されている。かかる新規格の可変抵抗器（代替品）は、オンオフスイッチ機構を内蔵する従来の可変抵抗器（例えば、日本工業規格ＪＩＳ Ｃ ５２６０−１の附属書１にＲＶ１６_Ｐ１５Ｆ０Ｂ５０３Ｍとして規格化された在来品）に比べて、特に抵抗器本体の底面から回転軸の先端までの高さ寸法が小さく、抵抗値調整用の回転軸に対する回転トルクも小さい。
【０００９】
ケース体と蓋体は、従来の可変抵抗器（在来品）が組み込まれた従来の配線器具と同じ寸法形状のものをそのまま使用すれば、従来と同じ取付け枠等の関連部品を用いることが可能となる。
しかし、ケース体に組み込まれる可変抵抗器をオンオフスイッチ機構を内蔵していない新規格の可変抵抗器（代替品）とした場合、抵抗器本体の底面から回転軸の先端までの高さ寸法が小さいため、回転軸の先端部を蓋体の軸受孔から外部へ突き出すための調整が必要となる。
そこで、本発明では、可変抵抗器における回転軸の先端部に軸調整ユニットが装着される。軸調整ユニットは、上述したとおり基端部を回転軸の先端部に連結した状態で、先端部が蓋体の軸受孔を通して外部に突き出し、当該先端部に回転操作用の摘まみを装着できる長さに調整されている。
【００１０】
また、軸調整ユニットは、摘まみによる回転操作に対し摺動抵抗を付与する手段を含む構成となっており、この摺動抵抗によって可変抵抗器（代替品）の回転軸に対する回転トルクの小ささを補うことができる。これにより、従来のオンオフスイッチ機構を内蔵する可変抵抗器（在来品）と同等の重厚感のある操作感を得ることが可能となる。
【００１１】
さらに、可変抵抗器（代替品）はオンオフスイッチ機構を内蔵していないため、本発明の配線器具には、ケース体の内部にマイクロスイッチが収容される。このマイクロスイッチが電源と負荷との間を電気的に接離するオンオフスイッチとして機能する。
軸調整ユニットは、あらかじめ設定した回転角度でマイクロスイッチをオンオフする手段を含んでおり、摘まみの回転操作（すなわち、可変抵抗器における回転軸の回転操作）によって、この軸調整ユニットを介してマイクロスイッチをオンオフ操作することができる。
【００１２】
上述した軸調整ユニットは、
基端部を回転軸の先端部に連結した状態で、先端部が蓋体の軸受孔を通して外部に突き出し、当該先端部に回転操作用の摘まみを装着できる長さに調整された延長軸部と、この延長軸部に形成された軸フランジ部とを含むシャフト部材と、
蓋体の軸受孔内に挿入される筒状の軸受部と、この軸受部の基端縁に形成された軸受フランジ部とを含む軸受部材と、
弾力性を有するシリコン材料によって収縮可能な厚みを有するリング状に形成されたリング状緩衝体と、を含む構成とすることができる。
【００１３】
かかる構成において、リング状緩衝体および軸受部材は、シャフト部材の延長軸部に先端部から嵌め込まれ、シャフト部材の軸フランジ部と軸受部材の軸受フランジ部との間にリング状緩衝体を配置し、さらに軸受部材の軸受部を蓋体の軸受孔内に挿入配置して、この軸受部の中空部にシャフト部材の延長軸部が貫通する。
ここで、リング状緩衝体は、シャフト部材の軸フランジ部と蓋体の内壁との間で圧縮されて、摘まみによる回転操作に対し摺動抵抗を付与する手段を構成する。ここで、摺動抵抗は、軸受部材の軸受フランジ部と蓋体の内壁との間に作用する。
さらに、シャフト部材の軸フランジ部には、あらかじめ設定した回転角度でマイクロスイッチの操作子に接離するカム部が形成され、このカム部によりマイクロスイッチをオンオフする手段が構成される。
【００１４】
さらに、軸調整ユニットは、リング状の平ワッシャを備え、この平ワッシャを軸受部材の軸受フランジ部と蓋体の内壁との間か、またはリング状緩衝体と軸受部材の軸受フランジ部との間に、配置した構成とすることもできる。
【発明の効果】
【００１５】
以上説明したように、本発明によれば、オンオフスイッチ機構を内蔵していない新規格の可変抵抗器（代替品）を用いつつ、従来と同じ取付け枠等の関連部品を利用することが可能となる。
また、オンオフスイッチ機構を内蔵していない可変抵抗器（代替品）を用いて、従来のオンオフスイッチ機構を内蔵する可変抵抗器（在来品）と同等の重厚感のある操作感を得ることができる。
【図面の簡単な説明】
【００１６】
【図１】本発明の実施形態に係る配線器具の分解斜視図である。
【図２】本発明の実施形態に係る配線器具とその関連部品の分解斜視図である。
【図３】本発明の実施形態に係る配線器具の正面断面図である。
【図４】（ａ）は本発明の実施形態に係る配線器具の正面断面図、（ｂ）は従来の可変抵抗器（在来品）を組み込んだ従来の配線器具の正面断面図である。
【図５】新旧規格の可変抵抗器の外観を示す図であり、同図（ａ）は本実施形態で用いる新規格の可変抵抗器（代替品）の正面図、同図（ｂ）は同じく側面図、同図（ｃ）は従来の可変抵抗器（在来品）の正面図、同図（ｄ）は同じく側面図である。
【発明を実施するための形態】
【００１７】
以下、この発明の実施の形態について図面を参照して詳細に説明する。
本実施形態に係る配線器具は、電源と負荷との間に設けられ、負荷に対する制御機能を有している。
図１に示すように、配線器具は、開口部を有するケース体１０と、その開口部を閉塞する蓋体１１と、ケース体１０の内底部に収容される回路基板２０と、この回路基板２０に搭載された可変抵抗器３０、制御回路４０およびマイクロスイッチ５０と、可変抵抗器３０における回転軸３２の先端部に装着される軸調整ユニット６０と、を備えている。
ケース体１０と蓋体１１は、配線器具の外形を形成しており、既述したとおり従来の可変抵抗器（在来品）が組み込まれた従来の配線器具と同じ寸法形状のものをそのまま利用している。これにより、従来と同じ取付け枠等の関連部品を用いることが可能となる（図２参照）。
蓋体１１には、後述するシャフト部材６１を回転自在に支持するための軸受孔１１ａが形成されている。
【００１８】
また、本実施形態では、回路基板２０も従来の配線器具で用いたものと同じ寸法形状に形成してあり、ケース体１０の内部空間へ収容できるように搭載部品の配置が調整されている。
【００１９】
可変抵抗器３０は、オンオフスイッチ機構を内蔵していない新規格の可変抵抗器（代替品）を用いている。既述したとおり、この種の可変抵抗器３０は、例えば、日本工業規格ＪＩＳ Ｃ ５２６０−１の附属書１にＲＶ０９_Ｐ１５Ｆ０Ｂ５０３Ｍとして規格化されている。
図５は、新旧規格の可変抵抗器の外観を示す図であり、同図（ａ）（ｂ）が本実施形態で用いる新規格の可変抵抗器（代替品）を示し、同図（ｃ）（ｄ）が従来の可変抵抗器（在来品）を示している。なお、同図（ａ）（ｂ）に示す新規格の可変抵抗器３０（代替品）は、日本工業規格ＪＩＳ Ｃ ５２６０−１の附属書１にＲＶ０９_Ｐ１５Ｆ０Ｂ５０３Ｍとして規格化されているもので、同図（ｃ）（ｄ）に示す可変抵抗器１３０（在来品）は、日本工業規格ＪＩＳ Ｃ ５２６０−１の附属書１にＲＶ１６_Ｐ１５Ｆ０Ｂ５０３Ｍとして規格化されているものである。
いずれの可変抵抗器３０、１３０も、可変抵抗部を内蔵する抵抗器本体３１、１３１と、この抵抗器本体３１、１３１から突出する抵抗値設定用の回転軸３２、１３２とを備えている。しかし、同図（ｃ）（ｄ）に示す従来の可変抵抗器１３０（在来品）は、オンオフスイッチ機構を内蔵するがゆえに、抵抗器本体１３１の底面から回転軸１３２の先端までの高さ寸法Ｈ１が、同図（ａ）（ｂ）に示す新規格の可変抵抗器３０（代替品）に比べて大きくなっている（Ｈ１＞Ｈ２）。なお、図（ｃ）（ｄ）に示す従来の可変抵抗器１３０（在来品）では、抵抗器本体１３１のボス面からさらにねじ締結部１３５が延出しており、このねじ締結部１３５の高さ分も加算されていっそう抵抗器本体１３１の底面から回転軸１３２の先端までの高さ寸法Ｈ１を大きくしている。
また、本実施形態で用いる新規格の可変抵抗器３０（代替品）は、従来の可変抵抗器１３０（在来品）に比べて、抵抗値調整用の回転軸３２に対する回転トルクが小さいという特徴がある。この可変抵抗器３０は、抵抗器本体３１から下方へ延びるリード端子３３と支持脚３４を回路基板２０に半田付けされて、同回路基板２０に搭載される。
【００２０】
図１に戻り、制御回路４０は、各種電子部品から構成されており、可変抵抗器３０によって設定された抵抗値に応じて負荷を制御する機能を有している。例えば、配線器具が照明器具（負荷）を調光する機能をもった調光器として提供される場合、制御回路４０は、可変抵抗器３０に設定された抵抗値に基づき照明器具を調光する調光回路に構成される。また、配線器具がタイマ装置として提供される場合、制御回路４０は、可変抵抗器３０に設定された抵抗値に基づく時間経過後に、負荷と電源との間を遮断するタイマ回路に構成される。これら調光回路やタイマ回路は、公知の回路であるため詳細な説明は省略する。
【００２１】
ケース体１０の内底部には、回路基板２０に搭載された制御回路４０を外部の負荷および電源と電気的に接続するための端子１２ａと解除部材１３が組み込まれる。端子１２ａは、周知の速結端子機構を構成する金属製の押えばねで構成され、ケース体１０の底部に形成した接続孔から差し込まれた電線を、回路基板２０に組み込んだ固定端子１２ｂとの間で弾力的に挟持する。また、端子１２ａと固定端子１２ｂに挟持された電線は、ドライバ等の工具で解除部材１３をスライドさせることでその挟持状態を解除することができる。
【００２２】
マイクロスイッチ５０は、電源と負荷との間を電気的に接離する機能を有している。このマイクロスイッチ５０が、従来の可変抵抗器１３０（在来品）に内蔵されていたオンオフスイッチ機構の代わりとなる。マイクロスイッチ５０のオンオフ操作部となる操作子は、後述するとおり軸調整ユニット６０に設けられたカム部６１ｃが接離してオンオフ動作がなされる。
【００２３】
軸調整ユニット６０は、シャフト部材６１と、軸受部材６２と、平ワッシャ６３と、リング状緩衝体６４とで構成されている。
このうち、シャフト部材６１は、硬質の樹脂材料で形成され、延長軸部６１ａと軸フランジ部６１ｂの各部を有している。そして、図３に示すように、延長軸部６１ａの基端が可変抵抗器３０における回転軸３２の先端部に連結される。ここで、延長軸部６１ａは、回転軸３２に連結した状態にて、先端部が蓋体１１の軸受孔１１ａを通して外部に突き出し、当該先端部に回転操作用の摘まみを装着できる長さに調整してある。これにより、図４（ａ）（ｂ）に示すように、従来の可変抵抗器１３０（在来品）を組み込んだ配線器具（同図（ｂ））と同じ寸法形状のケース体１０および蓋体１１を用いることができ、取付け枠等の関連部品についても従来品との互換性を確保することができる。
【００２４】
軸フランジ部６１ｂは、延長軸部６１ａの中間位置に形成されており、この軸フランジ部６１ｂにカム部６１ｃが形成してある。このカム部６１ｃはマイクロスイッチ５０のオンオフ手段を構成しており、あらかじめ設定した回転角度でマイクロスイッチ５０の操作子に接離するように調整してある。具体的には、可変抵抗器３０の回転軸３２が原点となる回転角度位置にあるとき、カム部６１ｃが操作子を押し込んでマイクロスイッチ５０がオフ状態（負荷と電源との間を遮断する状態）となり、そして可変抵抗器３０の回転軸３２が原点から回転操作されたとき、カム部６１ｃが操作子から離間してマイクロスイッチ５０がオン状態（負荷と電源との間を導通する状態）となるように調整してある。
【００２５】
軸受部材６２は、筒状の軸受部６２ａと、その基端縁に形成された軸受フランジ部６２ｂの各部を有している。この軸受部材６２は、ポリテトラフルオロエチレン（ＰＴＦＥ）等の低摩擦係数の樹脂材料で形成されており、特に軸受部６２ａの内周面や軸受フランジ部６２ｂの表面は摩擦係数の低い滑面となっている。この軸受部材６２は、軸受部６２ａが蓋体１１の軸受孔１１ａ内に挿入され、中空部内の周壁でシャフト部材６１の延長軸部６１ａを回転自在に支持する。
【００２６】
平ワッシャ６３は、ポリテトラフルオロエチレン（ＰＴＦＥ）等の低摩擦係数の樹脂材料により、薄肉のリング状に形成されている。したがって、この平ワッシャ６３の表裏両面はともに摩擦係数の低い平滑面となっている。
【００２７】
リング状緩衝体６４は、弾力性を有するスポンジ状であって収縮可能な厚みを有するリング状に形成されている。具体的には、シリコン発泡体や低硬度シリコンゴム等の耐候性が良好で弾力性のあるシリコン材料でリング状緩衝体６４は形成されている。
【００２８】
上述した軸調整ユニット６０を構成する各部品は、図１に示すように、リング状緩衝体６４、軸受部材６２、平ワッシャ６３の順序でシャフト部材６１の延長軸部６１ａに先端部から嵌め込まれる。これにより、シャフト部材６１の軸フランジ部６１ｂと軸受部材６２の軸受フランジ部６２ｂとの間にリング状緩衝体６４が挟まれ、また軸受部材６２の軸受フランジ部６２ｂと蓋体１１の内壁との間に平ワッシャ６３が配置される。
次いで、軸受部材６２の軸受部６２ａを蓋体１１の軸受孔１１ａ内に挿入配置して、この軸受部６２ａの中空部にシャフト部材６１の延長軸部６１ａを貫通させた状態で、ケース体１０の開口部に蓋体１１が装着される。
【００２９】
引き続き、図２を参照して取付け枠等の関連部品の装着手順を説明する。
本実施形態に係る配線器具の関連部品としては、取付け枠７０、放熱板７１、プレート取付け枠７２等がある。配線器具のケース体１０は、締結ねじ７３によって取付け枠７０に装着される。ここで、図２に示す本実施形態では、ケース体１０内の回路基板２０に組み込まれた発熱部品からの熱を放熱するために、回路基板２０にはアルミ製のフランジ片７１ａが組み込まれており、このフランジ片７１ａに放熱板７１が締結ねじ７１ｂによって装着される。そして、プレート取付け枠７２は、締結ねじ７４によって取付け枠７０に固定される。回転操作用の摘まみ８０は、フェルト製のワッシャ８１を介してシャフト部材６１における延長軸部６１ａの先端部に装着される。
プレート取付け枠７２には、施工現場において図３に示すように、樹脂製の化粧プレート７５が装着される。この化粧プレート７５は、取付け枠７０およびプレート取付け枠７２の外周を被覆する。これら取付け枠７０、放熱板７１、プレート取付け枠７２、化粧プレート７５の各部品（関連部品）は、従来の配線器具に適用されていたものと同じものを用いることができる。
【００３０】
図３に示すように各部品が組み込まれた配線器具において、リング状緩衝体６４は、摘まみ８０による回転操作に対し摺動抵抗を付与する手段を構成している。すなわち、リング状緩衝体６４は、シャフト部材６１の軸フランジ部６１ｂと蓋体１１との間で圧縮されて、摘まみ８０による回転操作に対し、軸受部材６２の軸受フランジ部６２ｂと平ワッシャ６３との間に摺動抵抗を付与している。これにより、従来のオンオフスイッチ機構を内蔵する可変抵抗器１３０（在来品）と同等の重厚感のある操作感を得ることができる。
摘まみ８０を回転操作すると、圧縮された状態のリング状緩衝体６４とこれに接触する軸受部材６２がシャフト部材６１と一緒に回転するが、軸受部材６２と蓋体１１との間に平ワッシャ６３が介在し、これら平ワッシャ６３と軸受部材６２の各接触面は互いに低摩擦係数の平滑面に形成されているため、軸受部材６２は摩擦抵抗も少なく円滑に回転することができる。
【００３１】
なお、本発明は上述した実施形態に限定されるものではなく、必要に応じて種々の変形実施や応用実施が可能なことはもちろんである。
例えば、上述した実施形態では、平ワッシャ６３を軸受部材６２の軸受フランジ部６２ｂと蓋体１１の内壁との間に配置したが、この平ワッシャ６３を省略することもできる。その場合は、軸受部材６２の軸受フランジ部６２ｂと蓋体１１の内壁との間に摺動抵抗が作用することになる。また、平ワッシャ６３は、軸受部材６２の軸受フランジ部６２ｂとリング状緩衝体６４との間に配置してもよい。
さらに、上述した実施形態において、リング状緩衝体６４と軸受部材６２の軸受フランジ部６２ｂとを両面テープ等の接着手段をもって貼り合わせ一体の部品とすることもできる。
【符号の説明】
【００３２】
１０：ケース体、１１：蓋体、１１ａ：軸受孔、１２ａ：端子、１２ｂ：固定端子、１３：解除部材、
２０：回路基板、
３０：可変抵抗器、３１：抵抗器本体、３２：回転軸、３３：リード端子、３４：支持脚、
４０：制御回路、
５０：マイクロスイッチ、
６０：軸調整ユニット、６１：シャフト部材、６１ａ：延長軸部、６１ｂ：軸フランジ部、６１ｃ：カム部、６２：軸受部材、６２ａ：軸受部、６２ｂ：軸受フランジ部、６３：平ワッシャ、６４：リング状緩衝体、
７０：取付け枠、７１：放熱板、７２：プレート取付け枠、７５：化粧プレート、
８０：摘まみ、８１：ワッシャ
【図１】
2015035340.tif 000003
【図２】
2015035340.tif 000004
【図３】
2015035340.tif 000005
【図４】
2015035340.tif 000006
【図５】
2015035340.tif 000007